(57)【要約】      （修正有）【課題】簡単な構造で容易に開封することができ、再封も可能なシールエンドカートン型の包装箱を提供する。【解決手段】箱体形成片１２から成り、連接された第一側面板１４、正面板１６、第二側面板１８、背面板２０により筒状体を形成する。第一側面板１４に延設した第一サイドフラップ３２と第二側面板１８に延設した第二サイドフラップ６４を折り、その上に正面板１６に延設した外蓋片３６と背面板２０に延設した内蓋７４とを重ね、外蓋片の裏面を内蓋片の表面を糊付けして上記筒状体の一端を塞ぐ。第一及び第二サイドフラップにスリット３８，６８を設ける。外蓋片３６を再封するときは、第一及び第二サイドフラップに重ねた内蓋片の先端側両角部７４ａが、スリットの内側に差し込まれて係合する。【選択図】図２
0003185840.tif 000002
【実用新案登録請求の範囲】
【請求項１】
一枚のブランクシートから一体的に打ち抜かれた箱体形成片から成り、前記箱体形成片には、第一側面板、正面板、第二側面板、背面板が順に互いに平行な折罫線を介して連接され、前記第一側面板には、前記連接方向に対して直角な一端部に第一サイドフラップが延設され、前記正面板には、前記連接方向に対して直角な一端部に外蓋片が第一折罫線で区切られて延設され、前記第二側面板には、前記連接方向に対して直角な一端部に第二サイドフラップが延設され、前記背面板には、前記連接方向に対して直角な一端部に内蓋片が延設され、
組み立て状態で、前記第一側面板、前記正面板、前記第二側面板及び前記背面板から成る筒状体を形成し、前記第一及び第二サイドフラップ、前記内蓋片、前記外蓋片を内側に順に折り曲げて、前記内蓋片に前記外蓋片を糊付けして前記筒状体の一方の開口端を塞ぐように形成された包装箱において、
前記第一折罫線に沿って開封用切込線が設けられ、前記第一及び第二フラップの前記外蓋片寄りの位置に、内側に折り曲げた前記内蓋片の先端側両角部を差し込み可能な係合孔が一対に設けられ、前記開封用切込線を破断して前記外蓋片を開封した後、前記内蓋片の前記先端側角部が前記第一及び第二フラップの前記一対のスリットに差し込まれて係合することによって前記外蓋片による再封を可能にしたことを特徴とする包装箱。
【請求項２】
前記再封した状態で、前記一対の係合孔が前記外蓋片に覆われる請求項１記載の包装箱。
【請求項３】
前記外蓋片には、基端側両角部を他の部分から仕切るように再封用ミシン目又は再封用折罫線が一対に設けられ、前記内蓋片と前記外蓋片とが糊付された状態で、前記内蓋片の前記先端側両角部が前記外蓋片の前記基端側両角部と重なって対向する請求項１又は２記載の包装箱。
【請求項４】
前記正面板には、開封時に指で押し込破る部分であって、前記開封用破断線と連続し、前記開封用破断線を破断する操作を容易にする開封部が設けられている請求項１又は２記載の包装箱。
【考案の詳細な説明】
【技術分野】
【０００１】
本考案は、商品等を収容するシールエンドカートン型の包装箱に関する。
【背景技術】
【０００２】
従来から、商品を収容して搬送されそのまま店頭に陳列するための包装箱として、一枚のブランクシートから一体的に打ち抜いた箱体形成片を立体的に組み立てたシートエンドカートン型の包装箱が使用されている。この箱体形成片には、例えば、平行に連接された４つの側面と、この中の一つの側面の両端部に延設された上蓋片と、組み立て状態でこの側面に隣接せず対向する側面の両端部に延設された内蓋片と、その他の一対の側面の両端部に延設されたサイドフラップとで構成されている。また、外側に位置する一側面の側縁部には糊付片が設けられている。
【０００３】
この箱体形成片を組み立てるときは、糊付片を反対側の側面裏面に糊付けし、各側面が各々９０度になるように１アクションで引き起こして四角い筒状体を形成する。そして筒状体の一端部にある一対のサイドフラップを側面に対して９０度に折り曲げ、次に内蓋片を折り曲げ、その内蓋片の表面に糊を塗布し、その上面に外蓋片を折り重ねて糊付けして閉鎖する。そして、商品を収容後、筒状体の他方の端部も同様に閉鎖する。
【０００４】
特許文献１に開示された包装容器は、上記のシールエンドカートン型の包装箱の一種であり、開封操作を容易にする構成が付加されている点に特徴がある。具体的には、一つの側面（表面板）と内蓋片（一方の天板）とを区切る折罫線に沿って略Ｌ字状の切目が連続形成され、さらに当該側面に、当該折罫線と半円形状の切取線で囲まれた摘み部が設けられている。この包装容器を開封するときは、摘み部を指で押し破り、外蓋片及び内蓋片を引き上げるようにして略Ｌ字状の切目を破断させ、筒状体の一端部を開放する操作を行う。
【０００５】
また、特許文献２に開示された組み立て紙箱は、一般的なダンボール箱であって、蓋部を簡易的に封緘する構成を開示している。具体的には、一対のサイドフラップ（内フラップ）と、互いに重ならない一対の蓋片（外フラップ）とで開口端を塞ぐ箱体であり、サイドフラップには、蓋片の先端側両角部が差し込まれるスリットが設けられている。開口端を閉鎖するとき、一対のサイドフラップを内側に折り曲げ、その上に一対の蓋片を折り曲げて重ねる操作を行い、蓋片の先端側角部をスリット内に差し込むことによって、閉鎖状態が簡易的に保持される。
【先行技術文献】
【特許文献】
【０００６】
【特許文献１】特開２００３−１１９６１号公報
【特許文献２】登録実用新案第３０３６３６６号公報
【考案の概要】
【考案が解決しようとする課題】
【０００７】
しかし、特許文献１のシールエンドカートン型の包装容器は、開封後、外蓋片を閉じて保持する機構がなく、一旦商品を取り出した後は再封できない。また、特許文献２の構造は、一対の蓋片が互いに重ならず、各々内フラップに蓋片の角部を係止するもので操作性が良くないものである。
【０００８】
本考案は、上記背景技術に鑑みて成されたものであり、簡単な構造で容易に開封することができ、再封も可能なシールエンドカートン型の包装箱を提供することを目的とする。
【課題を解決するための手段】
【０００９】
本考案は、一枚のブランクシートから一体的に打ち抜かれた箱体形成片から成り、前記箱体形成片には、第一側面板、正面板、第二側面板、背面板が順に互いに平行な折罫線を介して連接され、  前記第一側面板には、前記連接方向に対して直角な一端部に第一サイドフラップが延設され、前記正面板には、前記連接方向に対して直角な一端部に外蓋片が第一折罫線で区切られて延設され、前記第二側面板には、前記連接方向に対して直角な一端部に第二サイドフラップが延設され、前記背面板には、前記連接方向に対して直角な一端部に内蓋片が延設され、
組み立て状態で、前記第一側面板、前記正面板、前記第二側面板及び前記背面板から成る筒状体を形成し、前記第一及び第二サイドフラップ、前記内蓋片、前記外蓋片を内側に順に折り曲げて、前記内蓋片に前記外蓋片を糊付けして前記筒状体の一方の開口端を塞ぐように形成された包装箱であって、
前記第一折罫線に沿って開封用切込線が設けられ、前記第一及び第二フラップの前記外蓋片寄りの位置に、内側に折り曲げた前記内蓋片の先端側両角部を差し込み可能なスリット等の係合孔が一対に設けられ、前記開封用切込線を破断して前記外蓋片を開封した後、前記内蓋片の前記先端側角部が前記第一及び第二フラップの前記一対の係合孔に差し込まれて係合することによって前記外蓋片による再封を可能にした包装箱である。
【００１０】
前記再封した状態で、前記一対の係合孔が前記外蓋片に覆われる構造にすることが好ましい。また、前記外蓋片には、基端側両角部を他の部分から仕切るように再封用ミシン目又は再封用折罫線が一対に設けられ、前記内蓋片と前記外蓋片とが糊付された状態で、前記内蓋片の前記先端側両角部が前記外蓋片の前記基端側両角部と重なって対向する構造にすることが好ましい。さらに、前記正面板には、開封時に指で押し込破る部分であって、前記開封用破断線と連続し、前記開封用破断線を破断する操作を容易にする開封部が設けられている構造にすることが好ましい。
【考案の効果】
【００１１】
本考案の包装箱は、簡単な構造で組み立て易く、開封の操作が容易で、開封後も簡単な操作で違和感なく再封することができる。しかも、既存のシールエンドカートン用包装装置を利用することができ、包装の作業性がよいものである。
【図面の簡単な説明】
【００１２】
【図１】本考案の一実施形態の包装箱を組み立てた状態の外観を示す斜視図である。
【図２】この実施形態の包装箱の箱体形成片の裏面側を示す展開図である。
【図３】図２の箱体形成片を組み立てる工程を示す斜視図である。
【図４】図２の箱体形成片を組み立てる工程を示す斜視図である。
【図５】この実施形態の包装箱を開封した状態の外観を示す斜視図である。
【図６】この実施形態の包装箱を再封した状態の外観を示す斜視図（ａ）、内蓋片がスリットに差し込まれ様子を示す斜視図（ｂ）である。
【考案を実施するための形態】
【００１３】
以下、この考案の一実施形態について、図面に基づいて説明する。図１はこの考案の一実施形態の包装箱１０を示したもので、包装箱１０は、図２に示す箱体形成片１２を組み立てることによって形成されている。
【００１４】
箱体形成片１２は、厚紙等の一枚のブランクシートを打ち抜いて形成され、第一側面板１４、正面板１６、第二側面板１８、背面板２０が順に連接されている。さらに、組み立て状態で第一側面板１４の内側に糊付けされる糊付片２２が、背面板２０の側方に連接されている。第一側面板１４、正面板１６、第二側面板１８、背面板２０、糊付片２２は、各々折罫線２４，２６，２８，３０で区切られている。
【００１５】
第一側面板１４の一端部には、略台形状の第一サイドフラップ３２が延設され、折罫線３４で第一側面板１４の端部と区切られている。第一サイドフラップ３２の延設長は、正面板１６の幅（連接方向の長さ）の約1/2であり、後述する外蓋片３６寄りの位置に、長穴状のスリット３８が斜めに形成されている。
【００１６】
第一側面板１４の他端部には、略台形状のフラップ４０が延設され、折罫線４２で第一側面板１４と区切られている。
【００１７】
正面板１６の第一サイドフラップ３２側の一端部には、基端部の幅が正面板１６の幅と等しく、先端部の幅がやや狭い等脚台形状の外蓋片３６が延設され、第一折罫線４４で正面板１６と区切られている。外蓋片３６の延設長さは、第一側面板１４の幅（連接方向の長さ）とほぼ同じである。また、外蓋片３６には、基端側両角部３６ａと他の部分との間を略扇状に仕切る再封用ミシン目４６が一対に設けられている。
【００１８】
第一折罫線４２の両端から内向きに各々所定長さに亘り、一対の開封用破断線４８が形成され、正面板１６には、各開封用破断線４８の内側先端部を起点とするＵ字状の開封用破断線５０が形成され、第一折罫線４４の中央部分と開封用破断線５０とで囲まれた開封部５２が設けられている。開封部５２は、親指で押し込むことができる程度の大きさである。
【００１９】
正面板１６の他端部には、外蓋片３６とほぼ同形のフラップ５４が延設され、折罫線５６で正面板１６と区切られている。
【００２０】
折罫線５６の両端から内向きに各々所定長さに亘り、一対の破断線５８が形成され、正面板１６には、破断線５８の各内側先端部を起点とするＵ字状の破断線６０が形成され、折罫線５６の中央部分と破断線５０とで囲まれた押圧部６２が設けられている。押圧部６２は、指で押し込むことができる程度の大きさである。
【００２１】
第二側面板１８の外蓋片３６側の一端部には、略台形状の第二サイドフラップ６４が延設され、折罫線６６で第二側面板１８の端部と区切られ、外蓋片３６寄りの位置に長穴状のスリット６８が斜めに形成されている。第二サイドフラップ６４の形状（スリット６８を含む）は、外蓋片３６を挟んで、第一サイドフラップ３２の形状（スリット３８を含む）とほぼ線対称の関係になっている。
【００２２】
第二側面板１８の他端部には、フラップ４０とほぼ同形のフラップ７０が延設され、折罫線７２で第二側面板１８と区切られている。
【００２３】
背面板２０の第二サイドフラップ６４側の一端部には、基端部の幅が背面板２０の幅と等しく、先端部の幅がやや狭い等脚台形状の内蓋片７４が延設され、折罫線７６で背面板２０と区切られている。詳しくは後述するが、内蓋片７４は、外蓋片３６よりも小さく、包装箱１０に組み立てて開封した後に再封されると、先端側両角部７４ａが上記のスリット３８，６８に差し込み可能な形状になっている。
【００２４】
第二側面板１８の他端部には、内蓋片７４とほぼ同形のフラップ７８が延設され、折罫線８０で平面板２０と区切られている。
【００２５】
次に、箱体形成片１２の組み立て方法について、図２〜図４に基づいて説明する。ここで、図２は、箱体形成片１２を裏面側から見たものであり、以下、箱体形成片１２の表面側が凸になる折り方を正折り、裏面側が凹になる折り方を逆折りと称する。
【００２６】
まず、糊付片２２の表面に図示しない糊を塗布し、折罫線２８を正折りし、さらに折罫線２４を正折りし、糊付片２２の表面を第一側面板１４の裏面に糊付けする。
【００２７】
次に商品を収容し包装する工場等において、折罫線２４，２６，２８，３０を各々９０度になるように正折りして、四角形の筒状体を形成する。そして、筒状体の底部となる一方の端部を閉鎖する。まず、フラップ４０，７０を各々折罫線４２，７２で９０度に正折りし、フラップ７８の表面の中央から折罫線８０寄りの位置に図示しない糊を塗布し、フラップ７８を折罫線８０で９０度に正折りする。そしてフラップ５４を折罫線５４で９０度に正折りし、フラップ５４の裏面にフラップ７８の表面を糊付けする。次に、筒状の商品等を筒状体の開放端から内側に収容する。
【００２８】
商品等を収容すると、開放端を閉鎖するため、まず、図３に示すように、第一及び第二サイドフラップ３２，６４を各々折罫線３４，６６で９０度に正折りする。次に、図４に示すように、内蓋片７４の表面の先端側両角部７４ａから離れた位置に糊８２を塗布し、内蓋片７４を折罫線７６で９０度に正折する。この状態で、内蓋片７４の先端側両角部７４ａは、第一及び第二サイドフラップ３２，６４に形成されたスリット３８，６８の上方に重なる。そして、外蓋片３６を折罫線４４で９０度に正折りし、外蓋片３６の裏面に内蓋片７４の表面を糊付けする。外蓋片３６の基端側両角部３６ａは、内蓋片７４の先端側両角部７４ａと重なり、図１に示すように、スリット３８，６８を覆う。以上の動作によって包装箱１０の包装が終了する。
【００２９】
次に、この包装箱１０を開封する操作、再封する操作について順に説明する。開封するときは、正面板１６の開封部５２を指で押し込んでＵ字状の開封用破断線５０を破断させ、外蓋片３６と内蓋片７４を摘んで引き上げるようにして開封用破断線４８を破断させる。そして、第一及び第二サイドフラップ３２，６４を引き上げて筒状体の端部を開放し、中の商品を取り出す。図５に示すように、この状態では外蓋片３６、内蓋片７４及び開封部５２が背面板２０と一体に繋がっているので、本体から分離するゴミは生じない。
【００３０】
包装箱１０の中に商品を戻して再封するときは、第一及び第二サイドフラップ３２，６４を９０度に正折して元に戻し、図６（ａ）に示すように、外蓋片３６を９０度に正折して元に戻す。
【００３１】
さらに、外蓋片３６の中央やや開封部５２寄りの位置（例えば、図中のＰ点）を指で押し下げると、第一及び第二サイドフラップ３２，６４が内蓋片７４に押されて下向きに折り曲がり、内蓋片７４の先端側両角部７４ａがスリット３８とスリット６８の内側に差し込まれ、係合する。このとき、先端側両角部７４ａは、外蓋片３６と糊付されておらず、外蓋片３６が下向きに撓むことによって、先端側両角部７４ａが外側片３６の基端部両角部３６ａから自然に離れるので、スリット３８とスリット６８の内側にスムーズに差し込むことができる。しかも、外蓋片３６には再封用ミシン目４６が一対に設けられ、外蓋片３６がほぼ理想的な撓み方をするようになっているので、例えば、指で押し下げる位置がＰ点から多少ずれたとしても、良好に差し込むことができる。
【００３２】
外蓋片３６を指で押し下げる動作を止めると、内蓋片７４が第一及び第二サイドフラップ３２，６４に重なった状態が保持され、筒状体の端部が閉鎖される。
【００３３】
反対側の開口を閉鎖する蓋部分（フラップ４０，５４，７０，７８）は、包装箱１０の使用時は開封されず、使用後に分解して廃棄するとき等に開封される。分解する操作は簡単で、まず、正面板１６の押圧部６２を指で押してＵ字状の開封用破断線６０を破断させ、フラップ５４，７８を摘んで引き上げるようにして開封用破断線５８を破断させ、折罫線に沿って折り畳む。折り畳めば嵩張らないので、廃棄しやすい。
【００３４】
以上説明したように、この実施形態の包装箱１０は、簡単な構造で組み立て易く、開封する操作が簡単で、開封後も違和感なく再封することができる。また、再封する操作も簡単で、特許文献２の組み立て紙箱の場合は２アクションが必要（蓋片が２つあるため）なのに比べて、この包装箱１０は１アクションで再封することができる。しかも、再封した後、内蓋片７４の先端側両角部７４ａとスリット３８，６８との係合部が、外蓋片３６に覆われるので、内部に塵や埃が入りにくくなる防塵効果が得られる。
【００３５】
また、既存のシールエンドカートン用包装装置を利用することができ、包装の作業性がよいものである。
【００３６】
なお、この考案の包装箱は上記実施形態に限定されるものではない。例えば、外蓋片３６に設けられた再封用ミシン目４６は、再封の操作を行う際に外蓋片３６の撓み方を制御するものであり、例えば、再封用折罫線に置き換えてもよい。また、必要に応じて再封用ミシン目４６自体を省略しても構わない。また、開封部５２は必要に応じて省略することができ、その場合、例えば、２つの開封用破断線４８の内側を延長して連続させるとよい。
【００３７】
箱体の大きさ、素材、各部の形状等は適宜変更可能である。特に、内蓋片の先端側両角部、第一及び第二サイドフラップの係合孔の形状は、スリット以外に、三角形状や半円状等、再封時の差し込み易さや、差し込んだ後の係合の強さを調節するために変更することができる。
【００３８】
箱体の側面である第一側面板、正面板、第二側面板、背面板の用語は、本考案の包装箱の構成を特定するために定義したものであり、使用する際にどの面を正面にするかは自由である。例えば、背面板に商品名を大きく目立つように印刷表示し、店頭に陳列するとき背面板を正面に向けて並べるようにしてもよい。
【符号の説明】
【００３９】
１０  包装箱
１２  箱体形成片
１４  第一側面板
１６  正面板
１８  第二側面板
２０  背面板
３２  第一サイドフラップ
３６  外蓋片
３６ａ  基端側両角部
３８  スリット
４６  再封用ミシン目
４８，５０  開封用破断線
５２  開封部
６４  第二サイドフラップ
６８  スリット
７４  内蓋片
７４ａ  先端側両角部
【図１】
0003185840.tif 000003
【図２】
0003185840.tif 000004
【図３】
0003185840.tif 000005
【図４】
0003185840.tif 000006
【図５】
0003185840.tif 000007
【図６】
0003185840.tif 000008